(57)【要約】      （修正有）【課題】高機能で高価な温熱マットの汚れを防止し、その表面を保護する、外部コントローラ付き温熱マット専用のマット用シーツを提供する。【解決手段】マット用シーツ１は、温熱マットを内挿して被覆可能な、長手２０Ｌ、２０Ｒおよび短手３０Ｕ、３０Ｄからなる長方形状であり、一方の短手３０Ｄに沿って温熱マットを内挿するためのファスナー５０を設け、ファスナー５０から温熱マットを内挿した際に、他方の短手３０Ｕ側の接続モジュールに当接する部分に一のプラグ差込穴４０Ｌを設け、この他方の短手３０Ｕと一方の短手３０Ｄのそれぞれの中点ＭＵ、ＭＤを結ぶ中線Ｍを対称軸として、他方の短手３０Ｕ側の上記一のプラグ差込穴４０Ｌと対称の位置に、他のプラグ差込穴４０Ｒを設けた。上記一方の短手３０Ｄに沿って設けたファスナー５０は、一方の長手２０Ｌの所定の位置から、短手３０Ｄを介して他方の長手２０Ｒの所定の位置にわたって設けてもよい。【選択図】図１
0003191575.tif 000002
【実用新案登録請求の範囲】
【請求項１】
長手および短手からなる長方形状であり、外部コントローラを接続するためのコントローラプラグ差込口および電源プラグ差込口を配置した接続モジュールを一方の該短手の端部近傍に設け、該電源プラグ差込口に接続した熱線を内部に配置した温熱マットを被覆して保護するためのマット用シーツであって、
前記温熱マットを内挿して被覆可能な、長手および短手からなる長方形状であり、
一方の前記短手に沿って前記温熱マットを内挿するためのファスナーを設け、
前記ファスナーから前記温熱マットを内挿した際に、他方の前記短手側の前記接続モジュールに当接する部分に一のプラグ差込穴を設け、
前記一方の短手と前記他方の短手のそれぞれの中点を結ぶ中線を対称軸として、前記他方の短手側の前記一のプラグ差込穴と対称の位置に、他のプラグ差込穴を設けた、マット用シーツ。
【請求項２】
前記温熱マットを挿入するためのファスナーを、
一方の前記長手の所定の位置から、前記一方の前記短手を介して他方の前記長手の所定の位置にわたって設けた、
請求項１に記載のマット用シーツ。
【請求項３】
前記温熱マットを挿入するためのファスナーを、
一方の前記長手の所定の位置から、前記一方の前記短手の所定の位置にわたって設けた、
請求項１に記載のマット用シーツ。
【請求項４】
Ｄ：ＶＲ加工を採用した、請求項１乃至請求項３のいずれか１項に記載のマット用シーツ。
【考案の詳細な説明】
【技術分野】
【０００１】
本考案は、外部コントローラから温度調節可能とした温熱マットを保護するマット用シーツに関する。
【背景技術】
【０００２】
疲労回復や血行を良くする、筋肉の疲れをとる、筋肉のコリをほぐす、神経痛・筋肉痛の痛みの緩解、胃腸の働きを活発化する、など様々な効用を発揮する温熱マットが、近年、家庭用温熱治療器として普及している。
【０００３】
例えば、特許文献１は別途の電源を必要とせず、生体を適度に活性化する温熱を長時間保持できる温熱マットを提供している。特許文献２も、赤外線の放射光率が高く、高い保温効果を有する蓄熱マテリアルを適用して、血行不良に伴う病状予防や改善のために好適な温熱マットを提供するものである。また、特許文献３に記載されているように、磁場のフレネル構造を適用して、電気マットや電気カーペット等から発生する電磁波の強度を減らす温熱マットも考案されている。
【０００４】
このように、種々多様な温熱マットが考案されているが、上述のような効果を高めるために、熱線を挿入して、外部コントローラから温度調節可能とした温熱マットも市販されている。
【０００５】  例えば、（公序良俗違反につき、不掲載）が家庭用温熱治療器として販売する（公序良俗違反につき、不掲載）は、綿、ＰＣＶ（ポリ塩化ビニール）フィルム、ウレタン、アメジスト・ブラックトルマリン、綿、炭遮蔽布、綿、銅遮蔽布、綿、スーパーファイバ、シリコン熱線（無磁界２次回線）、スーパーファイバ、アルミニウム（遮熱材）、真綿（保温材）、フェルト、綿、ＰＣＶドットの各層を積層して、図３（ａ）のように、マットの端部にコントローラの接続口を設けた構造となっている。【０００６】
このような本格的な温熱マットは、上記のような緻密な多層構造を採用しており、熱線を挿入して外部コントローラから温度調節可能としているので、構成素材のみを工夫しただけのありふれた市販の温熱マットとは異なり、それ相応の値段が付けられた高価なものである。
【０００７】
【特許文献１】特開２００３−３１０６５２号公報
【特許文献２】特開２０１０−１７２４０２号公報
【特許文献３】特開２００８−２４１２２８号公報
【考案の概要】
【考案が解決しようとする課題】
【０００８】
そこで、本考案は、このような高機能で高価な温熱マットの汚れを防止し、その表面を保護する、外部コントローラ付き温熱マット専用のマット用シーツを提供する。
【課題を解決するための手段】
【０００９】
本考案に係るマット用シーツは、長手および短手からなる長方形状であり、外部コントローラを接続するためのコントローラプラグ差込口および電源プラグ差込口を配置した接続モジュールを一方の該短手の端部近傍に設け、該電源プラグ差込口に接続した熱線を内部に配置した温熱マットを被覆して保護するためのマット用シーツであって、前記温熱マットを内挿して被覆可能な、長手および短手からなる長方形状であり、一方の前記短手に沿って前記温熱マットを内挿するためのファスナーを設け、前記ファスナーから前記温熱マットを内挿した際に、他方の前記短手側の前記接続モジュールに当接する部分に一のプラグ差込穴を設け、前記一方の短手と前記他方の短手のそれぞれの中点を結ぶ中線を対称軸として、前記他方の短手側の前記一のプラグ差込穴と対称の位置に、他のプラグ差込穴を設けた。
【００１０】
本考案に係るマット用シーツにおいて、前記温熱マットを挿入するためのファスナーを、一方の前記長手の所定の位置から、前記一方の前記短手を介して他方の前記長手の所定の位置にわたって設けてもよい。
【００１１】
本考案に係るマット用シーツにおいて、前記温熱マットを挿入するためのファスナーを、一方の前記長手の所定の位置から、前記一方の前記短手の所定の位置にわたって設けてもよい。
【００１２】
本考案に係るマット用シーツは、Ｄ：ＶＲ加工を採用してもよい。
【考案の効果】
【００１３】
本考案に係る略長方形状のマット用シーツは、一方の短手に沿って温熱マットを内挿するためのファスナーを設けたので、容易に温熱マットを挿入してこれを使用することができる。
【００１４】
本考案に係る略長方形状のマット用シーツは、温熱マットの接続モジュールに当接する他方の短手側に位置する部分に一のプラグ差込穴を設けたので、当該温熱マットの接続モジュールに、コントローラプラグおよび電源プラグを容易に差し込むことができる。
【００１５】
さらに、本考案のマット用シーツは、一方の短手と他方の短手のそれぞれの中点を結ぶ中線を対称軸として、他方の短手側の上記一のプラグ差込穴と対称の位置に、他のプラグ差込穴を設けたので、表裏を逆にして温熱マットを内挿しても使用できる。すなわち、本考案のマット用シーツは、例えば表面を表として使用した後、さらに裏面を表として使用できるので、１枚で長期間使用することができる。
【００１６】
さらに、本考案のマット用シーツは、Ｄ：ＶＲ加工を採用したため、（１）撥水性で水分・汗をはじく、（２）撥油性で油分をはじく、（３）防汚性で汚れが付きにくい、（４）防シミ性でシミがつきにくい、（５）帯電防止加工で静電気が発生しにくい、などの優れた特徴を備えている。このＤ：ＶＲ加工のため、本考案に係るマット用シーツ１、１’の洗濯は３０〜４０日に一度で十分である。
【図面の簡単な説明】
【００１７】
【図１】本考案に係るマット用シーツの平面図（大温熱マット用）。
【図２】本考案に係るマット用シーツの平面図（中温熱マット用）。
【図３】（ａ）大サイズの温熱マットの斜視図、（ｂ）中サイズの温熱マットの斜視図。
【図４】温熱マットの断面図。
【考案を実施するための形態】
【００１８】
以下、図面を参照しながら本考案に係るマット用シーツの実施形態について説明する。なお、以下各図面を通して同一の構成要素には同一の符号を使用するものとする。
【００１９】
本考案に係るマット用シーツ１（図１参照）は、図３（ａ）に示す、長手１２０Ｌ、１２０Ｒおよび短手１３０Ｕ、１３０Ｄからなる長方形状であり、外部コントローラ１５０を接続するためのコントローラプラグ１５２の差込口および電源プラグ１６０の差込口を配置した接続モジュール１４０を一方の短手１３０Ｕの端部近傍に設け、電源プラグ１６０の差込口に接続した熱線を内部に配置した温熱マット１００を被覆して保護するためのマット用シーツ１である。
【００２０】  上述のように、例えば、（公序良俗違反につき、不掲載）が家庭用温熱治療器として販売する温熱マット１００は、図４に示すように、綿１０１、ＰＣＶ（ポリ塩化ビニール）フィルム１０２、ウレタン１０３、アメジスト・ブラックトルマリン１０４、綿１０５、炭遮蔽布１０６、綿１０７、銅遮蔽布１０８、綿１０９、スーパーファイバ１１０、シリコン熱線（無磁界２次回線）１１１、スーパーファイバ１１２、アルミニウム（遮熱材）１１３、真綿（保温材）１１４、フェルト１１５、綿１１６、ＰＣＶドット１１７の各層を積層してなり、図３（ａ）のように、短手１３０Ｕの端部に外部コントローラ１５０の接続モジュール１４０を設けた構造となっている。
【００２１】
本考案に係るマット用シーツ１は、図１に示すように、温熱マット１００を内挿して被覆可能な、長手２０Ｌ、２０Ｒおよび短手３０Ｕ、３０Ｄからなる長方形状であり、一方の短手３０Ｄに沿って温熱マット１００を内挿するためのファスナー５０を設け、ファスナー５０から温熱マット１００を内挿した際に、他方の短手３０Ｕ側の接続モジュール１４０に当接する部分に一のプラグ差込穴４０Ｌを設け、この他方の短手３０Ｕと一方の短手３０Ｄのそれぞれの中点ＭＵ、ＭＤを結ぶ中線Ｍを対称軸として、他方の短手３０Ｕ側の上記一のプラグ差込穴４０Ｌと対称の位置に、他のプラグ差込穴４０Ｒを設けた。
【００２２】
上記一方の短手３０Ｄに沿って設けたファスナー５０は、図１に示すように、一方の長手２０Ｌの所定の位置から、短手３０Ｄを介して他方の長手２０Ｒの所定の位置にわたって設けてもよい。あるいは、図示しないが、ファスナー５０は、一方の長手２０Ｌまたは２０Ｒの所定の位置から、一方の短手３０Ｄの所定の位置にわたって設けてもよい。
【００２３】
本考案に係るマット用シーツ１の寸法は、図３（ａ）に示す大サイズの温熱マット１００用であり、図１に示す通り、長手２０Ｌ、２０Ｒを１９４０ｍｍ、短手３０Ｕ、３０Ｄを７５０ｍｍ、プラグ差込穴４０Ｌ、４０Ｒの径を１００ｍｍとしている。
【００２４】
図３（ｂ）に示す中サイズの温熱マット１００’に対応する本考案に係るマット用シーツ１’の構成は、上記本考案のマット用シーツ１と同様であり、各寸法のみが異なる。マット用シーツ１’の寸法は、図２に示す通り、長手２０Ｌ、２０Ｒを９００ｍｍ、短手３０Ｕ、３０Ｄを５６０ｍｍとし、プラグ差込穴４０Ｌ、４０Ｒの径はマット用シーツ１と同様に１００ｍｍとしている。
【００２５】
本考案に係るマット用シーツ１、１’は、ポリエステル１００％の素材で通気性良く繊細な、きめ細かい表面を有している。最先端技術により、素材→製織→染色→Ｄ：ＶＲ加工→縫製まで、厳重な管理のもと一貫生産された純日本製の高品質・高機能シーツである。
【００２６】
上記Ｄ：ＶＲ加工は、（１）撥水性で水分・汗をはじく、（２）撥油性で油分をはじく、（３）防汚性で汚れが付きにくい、（４）防シミ性でシミがつきにくい、（５）帯電防止加工で静電気が発生しにくい、などの優れた特徴を備えている。このＤ：ＶＲ加工のため、本考案に係るマット用シーツ１、１’の洗濯は３０〜４０日に一度で十分である。
【００２７】
以上、本考案に係るマット用シーツ１、１’について説明したが、本考案に係るマット用シーツは上記実施形態等に限定されるものではない。
【００２８】
その他、本考案は、その主旨を逸脱しない範囲で当業者の知識に基づき種々の改良、修正、変更を加えた態様で実施できるものである。
【産業上の利用可能性】
【００２９】  本考案に係るマット用シーツは、（公序良俗違反につき、不掲載）が家庭用温熱治療器として販売する（公序良俗違反につき、不掲載）の専用シーツとして利用できる他、他のマットのカバーとしても利用できる。
【符号の説明】
【００３０】
１、１’：マット用シーツ
２０Ｌ、２０Ｒ：長手
３０Ｕ、３０Ｄ：短手
４０Ｌ：一のプラグ差込穴
４０Ｒ：他のプラグ差込穴
５０：ファスナー
ＭＵ：短手３０Ｕの中点
ＭＤ：短手３０Ｄの中点
Ｍ：中線
１００、１００’：温熱マット
１０１、１０５、１０７、１０９、１１６：綿
１０２：ＰＣＶ（ポリ塩化ビニール）フィルム
１０３：ウレタン
１０４：アメジスト・ブラックトルマリン
１０６：炭遮蔽布
１０８：銅遮蔽布
１１０、１１２：スーパーファイバ
１１１：シリコン熱線（無磁界２次回線）
１１３：アルミニウム（遮熱材）
１１４：真綿（保温材）
１１５：フェルト
１１７：ＰＣＶドット
１２０Ｌ、１２０Ｒ：長手
１３０Ｕ、１３０Ｄ：短手
１４０：接続モジュール
１５０：外部コントローラ
１５２：コントローラプラグ
１６０：電源プラグ
【図１】
0003191575.tif 000003
【図２】
0003191575.tif 000004
【図３】
0003191575.tif 000005
【図４】
0003191575.tif 000006
【手続補正書】
【提出日】平成26年4月25日(2014.4.25)
【手続補正１】
【補正対象書類名】実用新案登録請求の範囲
【補正対象項目名】全文
【補正方法】変更
【補正の内容】
【実用新案登録請求の範囲】
【請求項１】
長手および短手からなる長方形状であり、外部コントローラを接続するためのコントローラプラグ差込口および電源プラグ差込口を配置した接続モジュールを一方の該短手の端部近傍に設け、該電源プラグ差込口に接続した熱線を内部に配置した温熱マットを被覆して保護するためのマット用シーツであって、
前記温熱マットを内挿して被覆可能な、長手および短手からなる長方形状であり、
一方の前記短手に沿って前記温熱マットを内挿するためのファスナーを設け、
前記ファスナーから前記温熱マットを内挿した際に、他方の前記短手側の前記接続モジュールに当接する部分に一のプラグ差込穴を設け、
前記一方の短手と前記他方の短手のそれぞれの中点を結ぶ中線を対称軸として、前記他方の短手側の前記一のプラグ差込穴と対称の位置に、他のプラグ差込穴を設けた、マット用シーツ。
【請求項２】
前記温熱マットを挿入するためのファスナーを、
一方の前記長手の所定の位置から、前記一方の前記短手を介して他方の前記長手の所定の位置にわたって設けた、
請求項１に記載のマット用シーツ。
【請求項３】
前記温熱マットを挿入するためのファスナーを、
一方の前記長手の所定の位置から、前記一方の前記短手の所定の位置にわたって設けた、
請求項１に記載のマット用シーツ。
【手続補正２】
【補正対象書類名】明細書
【補正対象項目名】全文
【補正方法】変更
【補正の内容】
【考案の詳細な説明】
【技術分野】
【０００１】
本考案は、外部コントローラから温度調節可能とした温熱マットを保護するマット用シーツに関する。
【背景技術】
【０００２】
疲労回復や血行を良くする、筋肉の疲れをとる、筋肉のコリをほぐす、神経痛・筋肉痛の痛みの緩解、胃腸の働きを活発化する、など様々な効用を発揮する温熱マットが、近年、家庭用温熱治療器として普及している。
【０００３】
例えば、特許文献１は別途の電源を必要とせず、生体を適度に活性化する温熱を長時間保持できる温熱マットを提供している。特許文献２も、赤外線の放射光率が高く、高い保温効果を有する蓄熱マテリアルを適用して、血行不良に伴う病状予防や改善のために好適な温熱マットを提供するものである。また、特許文献３に記載されているように、磁場のフレネル構造を適用して、電気マットや電気カーペット等から発生する電磁波の強度を減らす温熱マットも考案されている。
【０００４】
このように、種々多様な温熱マットが考案されているが、上述のような効果を高めるために、熱線を挿入して、外部コントローラから温度調節可能とした温熱マットも市販されている。
【０００５】
例えば、Ｒ社が家庭用温熱治療器として販売する温熱マットは、綿、ＰＣＶ（ポリ塩化ビニール）フィルム、ウレタン、アメジスト・ブラックトルマリン、綿、炭遮蔽布、綿、銅遮蔽布、綿、スーパーファイバ、シリコン熱線（無磁界２次回線）、スーパーファイバ、アルミニウム（遮熱材）、真綿（保温材）、フェルト、綿、ＰＣＶドットの各層を積層して、図３（ａ）のように、マットの端部にコントローラの接続口を設けた構造となっている。
【０００６】
このような本格的な温熱マットは、上記のような緻密な多層構造を採用しており、熱線を挿入して外部コントローラから温度調節可能としているので、構成素材のみを工夫しただけのありふれた市販の温熱マットとは異なり、それ相応の値段が付けられた高価なものである。
【０００７】
【特許文献１】特開２００３−３１０６５２号公報
【特許文献２】特開２０１０−１７２４０２号公報
【特許文献３】特開２００８−２４１２２８号公報
【考案の概要】
【考案が解決しようとする課題】
【０００８】
そこで、本考案は、このような高機能で高価な温熱マットの汚れを防止し、その表面を保護する、外部コントローラ付き温熱マット専用のマット用シーツを提供する。
【課題を解決するための手段】
【０００９】
本考案に係るマット用シーツは、長手および短手からなる長方形状であり、外部コントローラを接続するためのコントローラプラグ差込口および電源プラグ差込口を配置した接続モジュールを一方の該短手の端部近傍に設け、該電源プラグ差込口に接続した熱線を内部に配置した温熱マットを被覆して保護するためのマット用シーツであって、前記温熱マットを内挿して被覆可能な、長手および短手からなる長方形状であり、一方の前記短手に沿って前記温熱マットを内挿するためのファスナーを設け、前記ファスナーから前記温熱マットを内挿した際に、他方の前記短手側の前記接続モジュールに当接する部分に一のプラグ差込穴を設け、前記一方の短手と前記他方の短手のそれぞれの中点を結ぶ中線を対称軸として、前記他方の短手側の前記一のプラグ差込穴と対称の位置に、他のプラグ差込穴を設けた。
【００１０】
本考案に係るマット用シーツにおいて、前記温熱マットを挿入するためのファスナーを、一方の前記長手の所定の位置から、前記一方の前記短手を介して他方の前記長手の所定の位置にわたって設けてもよい。
【００１１】
本考案に係るマット用シーツにおいて、前記温熱マットを挿入するためのファスナーを、一方の前記長手の所定の位置から、前記一方の前記短手の所定の位置にわたって設けてもよい。
【考案の効果】
【００１２】
本考案に係る略長方形状のマット用シーツは、一方の短手に沿って温熱マットを内挿するためのファスナーを設けたので、容易に温熱マットを挿入してこれを使用することができる。
【００１３】
本考案に係る略長方形状のマット用シーツは、温熱マットの接続モジュールに当接する他方の短手側に位置する部分に一のプラグ差込穴を設けたので、当該温熱マットの接続モジュールに、コントローラプラグおよび電源プラグを容易に差し込むことができる。
【００１４】
さらに、本考案のマット用シーツは、一方の短手と他方の短手のそれぞれの中点を結ぶ中線を対称軸として、他方の短手側の上記一のプラグ差込穴と対称の位置に、他のプラグ差込穴を設けたので、表裏を逆にして温熱マットを内挿しても使用できる。すなわち、本考案のマット用シーツは、例えば表面を表として使用した後、さらに裏面を表として使用できるので、１枚で長期間使用することができる。
【００１５】
さらに、本考案のマット用シーツは、特殊加工（以下、本明細書において、「Ｄ：ＶＲ加工」ともいう。）を採用したため、（１）撥水性で水分・汗をはじく、（２）撥油性で油分をはじく、（３）防汚性で汚れが付きにくい、（４）防シミ性でシミがつきにくい、（５）帯電防止加工で静電気が発生しにくい、などの優れた特徴を備えている。この特殊加工のため、本考案に係るマット用シーツ１、１’の洗濯は３０〜４０日に一度で十分である。
【図面の簡単な説明】
【００１６】
【図１】本考案に係るマット用シーツの平面図（大温熱マット用）。
【図２】本考案に係るマット用シーツの平面図（中温熱マット用）。
【図３】（ａ）大サイズの温熱マットの斜視図、（ｂ）中サイズの温熱マットの斜視図。
【図４】温熱マットの断面図。
【考案を実施するための形態】
【００１７】
以下、図面を参照しながら本考案に係るマット用シーツの実施形態について説明する。なお、以下各図面を通して同一の構成要素には同一の符号を使用するものとする。
【００１８】
本考案に係るマット用シーツ１（図１参照）は、図３（ａ）に示す、長手１２０Ｌ、１２０Ｒおよび短手１３０Ｕ、１３０Ｄからなる長方形状であり、外部コントローラ１５０を接続するためのコントローラプラグ１５２の差込口および電源プラグ１６０の差込口を配置した接続モジュール１４０を一方の短手１３０Ｕの端部近傍に設け、電源プラグ１６０の差込口に接続した熱線を内部に配置した温熱マット１００を被覆して保護するためのマット用シーツ１である。
【００１９】
上述のように、例えば、Ｒ社が家庭用温熱治療器として販売する温熱マット１００は、図４に示すように、綿１０１、ＰＣＶ（ポリ塩化ビニール）フィルム１０２、ウレタン１０３、アメジスト・ブラックトルマリン１０４、綿１０５、炭遮蔽布１０６、綿１０７、銅遮蔽布１０８、綿１０９、スーパーファイバ１１０、シリコン熱線（無磁界２次回線）１１１、スーパーファイバ１１２、アルミニウム（遮熱材）１１３、真綿（保温材）１１４、フェルト１１５、綿１１６、ＰＣＶドット１１７の各層を積層してなり、図３（ａ）のように、短手１３０Ｕの端部に外部コントローラ１５０の接続モジュール１４０を設けた構造となっている。
【００２０】
本考案に係るマット用シーツ１は、図１に示すように、温熱マット１００を内挿して被覆可能な、長手２０Ｌ、２０Ｒおよび短手３０Ｕ、３０Ｄからなる長方形状であり、一方の短手３０Ｄに沿って温熱マット１００を内挿するためのファスナー５０を設け、ファスナー５０から温熱マット１００を内挿した際に、他方の短手３０Ｕ側の接続モジュール１４０に当接する部分に一のプラグ差込穴４０Ｌを設け、この他方の短手３０Ｕと一方の短手３０Ｄのそれぞれの中点ＭＵ、ＭＤを結ぶ中線Ｍを対称軸として、他方の短手３０Ｕ側の上記一のプラグ差込穴４０Ｌと対称の位置に、他のプラグ差込穴４０Ｒを設けた。
【００２１】
上記一方の短手３０Ｄに沿って設けたファスナー５０は、図１に示すように、一方の長手２０Ｌの所定の位置から、短手３０Ｄを介して他方の長手２０Ｒの所定の位置にわたって設けてもよい。あるいは、図示しないが、ファスナー５０は、一方の長手２０Ｌまたは２０Ｒの所定の位置から、一方の短手３０Ｄの所定の位置にわたって設けてもよい。
【００２２】
本考案に係るマット用シーツ１の寸法は、図３（ａ）に示す大サイズの温熱マット１００用であり、図１に示す通り、長手２０Ｌ、２０Ｒを１９４０ｍｍ、短手３０Ｕ、３０Ｄを７５０ｍｍ、プラグ差込穴４０Ｌ、４０Ｒの径を１００ｍｍとしている。
【００２３】
図３（ｂ）に示す中サイズの温熱マット１００’に対応する本考案に係るマット用シーツ１’の構成は、上記本考案のマット用シーツ１と同様であり、各寸法のみが異なる。マット用シーツ１’の寸法は、図２に示す通り、長手２０Ｌ、２０Ｒを９００ｍｍ、短手３０Ｕ、３０Ｄを５６０ｍｍとし、プラグ差込穴４０Ｌ、４０Ｒの径はマット用シーツ１と同様に１００ｍｍとしている。
【００２４】
本考案に係るマット用シーツ１、１’は、ポリエステル１００％の素材で通気性良く繊細な、きめ細かい表面を有している。最先端技術により、素材→製織→染色→特殊加工（Ｄ：ＶＲ加工）→縫製まで、厳重な管理のもと一貫生産された純日本製の高品質・高機能シーツである。
【００２５】
上記特殊加工（Ｄ：ＶＲ加工）は、（１）撥水性で水分・汗をはじく、（２）撥油性で油分をはじく、（３）防汚性で汚れが付きにくい、（４）防シミ性でシミがつきにくい、（５）帯電防止加工で静電気が発生しにくい、などの優れた特徴を備えている。この特殊加工（Ｄ：ＶＲ加工）のため、本考案に係るマット用シーツ１、１’の洗濯は３０〜４０日に一度で十分である。
【００２６】
以上、本考案に係るマット用シーツ１、１’について説明したが、本考案に係るマット用シーツは上記実施形態等に限定されるものではない。
【００２７】
その他、本考案は、その主旨を逸脱しない範囲で当業者の知識に基づき種々の改良、修正、変更を加えた態様で実施できるものである。
【産業上の利用可能性】
【００２８】
本考案に係るマット用シーツは、Ｒ社が家庭用温熱治療器として販売する温熱マットの専用シーツとして利用できる他、他のマットのカバーとしても利用できる。
【符号の説明】
【００２９】
１、１’：マット用シーツ
２０Ｌ、２０Ｒ：長手
３０Ｕ、３０Ｄ：短手
４０Ｌ：一のプラグ差込穴
４０Ｒ：他のプラグ差込穴
５０：ファスナー
ＭＵ：短手３０Ｕの中点
ＭＤ：短手３０Ｄの中点
Ｍ：中線
１００、１００’：温熱マット
１０１、１０５、１０７、１０９、１１６：綿
１０２：ＰＣＶ（ポリ塩化ビニール）フィルム
１０３：ウレタン
１０４：アメジスト・ブラックトルマリン
１０６：炭遮蔽布
１０８：銅遮蔽布
１１０、１１２：スーパーファイバ
１１１：シリコン熱線（無磁界２次回線）
１１３：アルミニウム（遮熱材）
１１４：真綿（保温材）
１１５：フェルト
１１７：ＰＣＶドット
１２０Ｌ、１２０Ｒ：長手
１３０Ｕ、１３０Ｄ：短手
１４０：接続モジュール
１５０：外部コントローラ
１５２：コントローラプラグ
１６０：電源プラグ